(57)【要約】【課題】縦位置で撮影した静止画像を正位置において視認性を向上させる。【解決手段】デジタルカメラ１０は撮像素子１３、モニタ２０、デジタル信号処理回路２１、システムコントローラ２２、および縦位置センサ２４を備える。モニタ２０は正方形である。デジタルカメラ１０が縦位置であるとき、縦位置センサ２４は縦位置検出信号をシステムコントローラ２２に送る。システムコントローラ２２が縦位置検出信号を受信するとき、撮像素子１３から送られる画像信号に縦位置検出信号を付加する。再生モードで画像信号に縦位置検出信号が付加しているとき、静止画像を縦長に表示する。画像信号に縦位置検出信号が付加していないとき、静止画像を横長に表示する。【選択図】図３
2007201539.tif 000002
【特許請求の範囲】
【請求項１】
被写体の光学像を、第１の長辺と第１の短辺を有し第１のアスペクト比である第１の矩形の画像として撮像するデジタルカメラであって、
受光する前記被写体の光学像に対応する画像信号を生成する撮像手段と、
前記撮像手段が生成した画像信号を格納する格納手段と、
前記第１のアスペクト比が１より大きい場合は前記第１のアスペクト比より小さく、前記第１のアスペクト比が１より小さい場合は前記第１のアスペクト比より大きな第２のアスペクト比であって第１の辺と第２の辺を有する第２の矩形であり、前記画像信号に対応する画像を表示する表示手段と、
前記格納手段に格納された前記画像信号に対応する画像を前記表示手段に表示させる第１の再生モードにおいて前記第１の長辺が前記第１の辺に平行であって前記第１のアスペクト比を維持した前記画像を、または前記第１の再生モードで表示される画像を９０°回転させた画像を表示させる第２の再生モードにおいて前記第１の長辺を前記第２の辺に平行であって前記第１のアスペクト比を維持した前記画像を、前記表示手段に表示させる表示画像制御手段とを備える
ことを特徴とするデジタルカメラ。
【請求項２】
前記第１の再生モードにおいて前記表示手段の前記第１の辺に沿って最大表示され、前記第２の再生モードにおいて前記表示手段の前記第２の辺に沿って最大表示されることを特徴とする請求項１に記載のデジタルカメラ。
【請求項３】
前記第２のアスペクト比が実質的に１であることを特徴とする請求項１または請求項２に記載のデジタルカメラ。
【請求項４】
前記第１または第２の再生モードに切替えるための切替え入力部を備えることを特徴とする請求項１〜請求項３のいずれか１項に記載のデジタルカメラ。
【請求項５】
前記撮像手段の受光面に垂直な直線を軸にした、地上に対する前記撮像手段の傾きを検出する傾斜検出手段を備え、
前記格納手段は、前記撮像手段が前記画像信号を生成するときの前記傾斜検出手段により検出される傾きを傾斜信号として前記画像信号に関連付けて格納し、
前記表示画像制御手段は、表示させる画像の画像信号に関連付けられた前記傾斜信号に基づいて前記第１または第２の再生モードに切替える
ことを特徴とする請求項１〜請求項３のいずれか１項に記載のデジタルカメラ。
【請求項６】
前記撮像手段が生成する前記画像信号を前記格納手段に格納可能な撮影モードにおいて、
前記表示画像制御手段は前記表示手段に前記撮像手段が生成する画像信号に相当する画像と前記画像を表示したときの余白に撮影情報とを表示し、
前記傾斜手段により検出される傾きに基づいて、前記表示画像制御手段は前記撮影情報を表示する向きを変える
ことを特徴とする請求項５に記載のデジタルカメラ。
【請求項７】
前記撮像手段が生成する前記画像信号を前記格納手段に格納可能な撮影モードにおいて、
前記表示画像制御手段は前記表示手段に前記撮像手段が生成する画像信号に相当する画像と前記画像を表示したときの余白に撮影情報とを表示する
ことを特徴とする請求項１〜請求項５に記載のデジタルカメラ。
【請求項８】
前記格納手段は、前記撮像手段が前記画像信号を生成するときの撮影情報を撮影情報信号として前記画像信号に関連付けて格納し、
前記表示画像制御手段は、前記第１または第２の再生モードにおいて前記表示手段に前記画像を表示したときの余白に前記撮影情報を表示する
ことを特徴とする請求項１〜請求項７のいずれか１項に記載のデジタルカメラ。
【請求項９】
前記撮像手段における被写体の光学像を受光する有効撮影領域が、前記第１の矩形と相似することを特徴とする請求項１〜請求項８のいずれか１項に記載のデジタルカメラ。
【請求項１０】
前記撮像手段が生成した画像信号を、前記第１の矩形の画像に対応する画像信号に変換する変換手段を備え、前記変換手段に変換された画像信号に対応する画像が前記表示手段に表示されることを特徴とする請求項１〜請求項８のいずれか１項に記載のデジタルカメラ。
【請求項１１】
第１の長辺と第１の短辺を有し第１のアスペクト比である第１の矩形の画像に相当する画像信号を受信する受信手段と、
前記第１のアスペクト比が１より大きい場合は前記第１のアスペクト比より小さく、前記第１のアスペクト比が１より小さい場合は前記第１のアスペクト比より大きな第２のアスペクト比であって第１の辺と第２の辺を有する第２の矩形であり、前記画像信号に対応する画像を表示する表示手段と、
前記受信手段に格納された前記画像信号に対応する画像を前記表示手段に表示させる第１の再生モードにおいて前記第１の長辺が前記第１の辺に平行であって前記第１のアスペクト比を維持した前記画像を、または前記第１の再生モードで表示される画像を９０°回転させた画像を表示させる第２の再生モードにおいて前記第１の長辺を前記第２の辺に平行であって前記第１のアスペクト比を維持した前記画像を、前記表示手段に表示させる表示画像制御手段とを備える
ことを特徴とする画像再生装置。
【請求項１２】
前記受信手段は、前記画像信号が生成されるときの撮影情報を撮影情報信号として関連付けられた前記画像信号を受信し、
前記表示画像制御手段は、前記第１または第２の再生モードにおいて前記表示手段に前記画像を表示したときの余白に前記撮影情報を表示する
ことを特徴とする請求項１１に記載の画像再生装置。
【発明の詳細な説明】
【技術分野】
【０００１】
本発明は、撮影するときのカメラの姿勢に応じて再生する画像を回転させて表示するデジタルカメラに関する。
【背景技術】
【０００２】
従来、デジタルカメラに設けられる撮像素子は長方形に形成され、正位置において長辺が横方向となるように配置されていた。また、撮像素子のアスペクト比に合わせたモニタが、正位置において長辺が横方向となるようにデジタルカメラに設けられていた。
【０００３】
このようなデジタルカメラでは、デジタルカメラを正位置に保った状態での撮影により、横長の撮影画像を得ることが可能であった。一方、光軸を軸に９０°回転させた縦位置に保った状態での撮影により、縦長の撮影画像を得ることが可能であった。
【０００４】
しかし、縦位置で撮影した画像をモニタに再生させるときに、９０°傾いた画像が表示されるため、画像の確認が困難であった。ところで、傾斜センサを備え撮影時のカメラの傾きに応じてフレーム画像の向きを変更して表示させるデジタルカメラが知られている（特許文献１参照）。同様に撮影時の傾斜に応じて再生時に縦位置で撮影した画像の向きを変更して表示することは可能である。
【０００５】
ところが、モニタは正位置で横長となるように配置されており、縦位置で撮影した縦長の画像を表示する場合に、全画面を表示しようとすると縮小表示する必要があり観察しづらく、縮小せずに表示すると全体を表示することができないという問題を生じていた。
【特許文献１】特開２００２−２３２７５３号公報
【発明の開示】
【発明が解決しようとする課題】
【０００６】
したがって、本発明では正位置以外の姿勢で撮影した画像を観察しやすい画像のままモニタに表示するデジタルカメラの提供を目的とする。
【課題を解決するための手段】
【０００７】
本発明のデジタルカメラは、被写体の光学像を第１の長辺と第１の短辺を有し第１のアスペクト比である第１の矩形の画像として撮像するデジタルカメラであって、受光する被写体の光学像に対応する画像信号を生成する撮像手段と、撮像手段が生成した画像信号を格納する格納手段と、第１のアスペクト比が１より大きい場合は第１のアスペクト比より小さく第１のアスペクト比が１より小さい場合は第１のアスペクト比より大きな第２のアスペクト比であって第１の辺と第２の辺を有する第２の矩形であり画像信号に対応する画像を表示する表示手段と、格納手段に格納された画像信号に対応する画像を表示手段に表示させる第１の再生モードにおいて第１の長辺が第１の辺に平行であって前記第１のアスペクト比を維持した画像を第１の再生モードで表示される画像をまたは９０°回転させた画像を表示させる第２の再生モードにおいて第１の長辺を第２の辺に平行であって第１のアスペクト比を維持した画像を表示手段に表示させる表示画像制御手段とを備えることを特徴としている。
【０００８】
さらに、第１の再生モードにおいて表示手段の第１の辺に沿って最大表示され、第２の再生モードにおいて表示手段の第２の辺に沿って最大表示されることが好ましい。
【０００９】
また、第２のアスペクト比が実質的に１であることが好ましい。
【００１０】
また、第１または第２の再生モードに切替えるための切替え入力部を備えることが好ましい。あるいは、撮像手段の受光面に垂直な直線を軸にした地上に対する撮像手段の傾きを検出する傾斜検出手段を備え、格納手段は撮像手段が画像信号を生成するときの傾斜検出手段により検出される傾きを傾斜信号として画像信号に関連付けて格納し、表示画像制御手段は表示させる画像の画像信号に関連付けられた傾斜信号に基づいて第１または第２の再生モードに切替えることが好ましい。
【００１１】
また、撮像手段が生成する画像信号を格納手段に格納可能な撮影モードにおいて、表示画像制御手段は表示手段に撮像手段が生成する画像信号に相当する画像と画像を表示したときの余白に撮影情報とを表示し、傾斜手段により検出される傾きに基づいて表示画像制御手段は撮影情報を表示する向きを変えることが好ましい。
【００１２】
また、撮像手段が生成する画像信号を格納手段に格納可能な撮影モードにおいて、表示画像制御手段は表示手段に撮像手段が生成する画像信号に相当する画像と画像を表示したときの余白に撮影情報とを表示することが好ましい。
【００１３】
また、格納手段は撮像手段が画像信号を生成するときの撮影情報を撮影情報信号として画像信号に関連付けて格納し、表示画像制御手段は第１または第２の再生モードにおいて表示手段に画像を表示したときの余白に撮影情報を表示することが好ましい。
【００１４】
また、撮像手段における被写体の光学像を受光する有効撮影領域が第１の矩形と相似することが好ましい。
【００１５】
また、撮像手段が生成した画像信号を第１の矩形の画像に対応する画像信号に変換する変換手段を備え、変換手段に変換された画像信号に対応する画像が表示手段に表示されることが好ましい。
【００１６】
本発明の画像再生装置は、第１の長辺と第１の短辺を有し第１のアスペクト比である第１の矩形の画像に相当する画像信号を受信する受信手段と、第１のアスペクト比が１より大きい場合は第１のアスペクト比より小さく第１のアスペクト比が１より小さい場合は第１のアスペクト比より大きな第２のアスペクト比であって第１の辺と第２の辺を有する第２の矩形であり画像信号に対応する画像を表示する表示手段と、受信手段に格納された画像信号に対応する画像を表示手段に表示させる第１の再生モードにおいて第１の長辺が第１の辺に平行であって第１のアスペクト比を維持した画像をまたは第１の再生モードで表示される画像を９０°回転させた画像を表示させる第２の再生モードにおいて第１の長辺を第２の辺に平行であって第１のアスペクト比を維持した画像を表示手段に表示させる表示画像制御手段とを備えることを特徴としている。
【００１７】
さらに、受信手段は画像信号が生成されるときの撮影情報を撮影情報信号として関連付けられた画像信号を受信し、表示画像制御手段は第１または第２の再生モードにおいて表示手段に画像を表示したときの余白に撮影情報を表示することが好ましい。
【発明の効果】
【００１８】
本発明によれば、正位置以外の姿勢で撮影した画像を回転させて再生するときに、回転させた画像の大きさを従来のカメラの表示より大きくすることが可能である。また、撮影モードにおいて縦位置にデジタルカメラを保ったときに撮影時に表示する撮影情報を視認性良く表示することが可能である。
【発明を実施するための最良の形態】
【００１９】
以下、本発明の実施形態について図面を参照して説明する。
図１は、本発明の一実施形態を適用したデジタルカメラの前面側の外観図である。図２は、デジタルカメラの背面側の外観図である。
【００２０】
デジタルカメラ１０の前面には、撮影レンズ１１、フラッシュ１２が設けられる。撮影レンズ１１は、被写体像をデジタルカメラ１０の内部に設けられる撮像素子１３の受光面に結像させる。フラッシュ１２は、周囲が暗いときに被写体を照明するために用いられる。
【００２１】
デジタルカメラ１０の上面ＵＦには、レリーズボタン１４および電源ボタン１５が設けられる。電源ボタン１５を押下することによりデジタルカメラ１０の電源のＯＮとＯＦＦとが切替えられる。レリーズボタン１４を押下することにより、被写体の撮影が実行される。
【００２２】
デジタルカメラ１０の上面ＵＦおよび下面ＬＦは、互いに平行であり、撮影レンズ１１の光軸に平行となるように形成される。なお、デジタルカメラ１０の上面ＵＦおよび下面ＬＦが地面に対して平行に保った姿勢を、デジタルカメラ１０の正位置とする。一方、撮影レンズ１１の光軸を軸に正位置から９０°回転させた姿勢を縦位置とする。
【００２３】
デジタルカメラ１０の背面には、再生ボタン１６、メニューボタン１７、十字キー１８、ズームボタン１９、およびモニタ２０が設けられる。再生ボタン１６、メニューボタン１７、十字キー１８、ズームボタン１９は、デジタルカメラ１０の各種操作に用いられる。
【００２４】
モニタ２０は、正方形に形成され、２辺がデジタルカメラ１０の上面ＵＦおよび下面ＬＦに平行となるように配置される。なお、デジタルカメラ１０の上面ＵＦおよび下面ＬＦに平行な辺を第１の辺Ｓｄａ、垂直な辺を第２の辺Ｓｄｂとする。
【００２５】
デジタルカメラ１０の動作は、撮影待機中の撮影モード、撮影した画像をモニタ２０に表示する再生モード、およびデジタルカメラ１０の設定を変更する設定モードのいずれかに切替え可能である。
【００２６】
電源をＯＮしてデフォルトの状態では撮影モードに設定される。撮影モードと再生モードの間の切替えは、再生ボタン１６を押下することにより実行される。撮影モードと設定モードとの間の切替えは、メニューボタン１７を押下することにより実行される。
【００２７】
撮影モードでは、モニタ２０にはスルー画像が表示される。なお、スルー画像とは、リアルタイムに撮像素子１３に受光される被写体の光学像である。再生モードでは、モニタ２０には撮影動作の実行により記憶された被写体の静止画像が表示される。また設定モードでは、露出補正などの撮影のための設定画像が表示される。
【００２８】
なお、ズームボタン１９は、撮影モードにおいては撮影レンズ１１の焦点距離の調整に用いられ、再生モードにおいては再生画像のズームアップまたはズームダウンに用いられる。また、十字キー１８は、設定モードにおいて設定内容の選択および決定の入力をするために用いられる。
【００２９】
次に、デジタルカメラ１０の内部構成について図３を用いて説明する。図３は、デジタルカメラ１０の内部構成を概略的に示すブロック図である。デジタルカメラ１０は、撮影レンズ１１、撮像素子１３、デジタル信号処理回路２１、システムコントローラ２２、モニタ２０、メモリコネクタ２３、および縦位置センサ２４等によって構成される。
【００３０】
撮影レンズ１１は、撮像素子１３に光学的に接続される。撮影レンズ１１を透過する被写体の光学像が撮像素子１３の受光面に入射される。撮像素子１３は、例えばＣＭＯＳイメージセンサである。受光面において被写体の光学像が受光されることにより、光学像に対応する画像信号が生成される。
【００３１】
図４に示すように、撮像素子１３の受光面の中心に有効撮影領域ＩｍＡが設けられる。受光面において有効撮影領域ＩｍＡの周囲に黒色領域ＢＡが設けられる。有効撮影領域ＩｍＡにおいて撮影レンズ１１を透過した被写体の光学像が受光され、光学像に対応する信号が生成される。黒色領域ＢＡにおいて、受光した光学像の黒色の基準となる信号が生成される。有効撮影領域ＩｍＡと黒色領域ＢＡとにおいて生成される信号が１フレームの画像信号として撮像素子１３から出力される。
【００３２】
なお、有効撮影領域ＩｍＡはアスペクト比が４：３になるように形成される。なお、有効撮影領域ＩｍＡの長辺がデジタルカメラ１０の上面ＵＦおよび下面ＬＦと平行になるように、撮像素子１３はデジタルカメラ１０の内部に配置される。
【００３３】
図３において、撮像素子１３は、Ａ／Ｄコンバータ２５を介してデジタル信号処理回路２１に接続される。撮像素子１３において生成された画像信号は、Ａ／Ｄコンバータ２５によりＡ／Ｄ変換され、デジタル信号処理回路２１に送られる。
【００３４】
デジタル信号処理回路２１に送られた画像信号には、所定の信号処理が施される。所定の信号処理が施された画像信号は、モニタ２０に送られる。モニタ２０において、送られた画像信号に対応する画像が表示される。
【００３５】
なお、レリーズ動作が実行されることにより、１フレームの画像信号に対して所定の信号処理が施された後に、画像信号はメモリコネクタ２３を介して接続される着脱式メモリ（図示せず）に格納される。
【００３６】
デジタル信号処理回路２１は、システムコントローラ２２に接続される。デジタル信号処理回路２１における信号処理は、システムコントローラ２２によって制御される。また、システムコントローラ２２によってデジタルカメラ１０全体の動作も制御される。
【００３７】
システムコントローラ２２には、縦位置センサ２４が接続される。縦位置センサ２４によりデジタルカメラ１０の姿勢が実質的に縦位置であるか否かが検出される。なお、縦位置であることが検出されると、縦位置検出信号がシステムコントローラ２２に送られる。
【００３８】
なお、デジタルカメラ１０を操作するための再生ボタン１６、メニューボタン１７、十字キー１８、ズームボタン１９、レリーズボタン１４、および電源ボタン１５などによって構成される操作部１６はシステムコントローラ２２に接続される。操作者による操作部２６への操作入力は、入力信号としてシステムコントローラ２２に送られる。送られる入力信号に応じて、システムコントローラ２２による各部位の制御が行なわれる。
【００３９】
例えば、再生ボタン１６またはメニューボタン１７を押下することにより、デジタル信号処理回路２１はシステムコントローラ２２に制御され、モニタ２０への表示がスルー画像、静止画像、設定画像のいずれかに切替えられる。
【００４０】
さらに、撮影モードにおいては、ズームボタン１９を押下することによりレンズ駆動装置（図示せず）がシステムコントローラ２２に制御され、撮影レンズの焦点距離が調整される。
【００４１】
また、レリーズボタン１４が全押しされることにより、タイミングジェネレータ２７がシステムコントローラ２２に制御され、静止画像を受光するように撮像素子１３が駆動される。さらに、レリーズボタン１４の全押ししたときに縦位置検出信号が検出される場合に、検出された縦位置検出信号が回転情報として画像信号に付加されて、着脱式メモリに格納される。
【００４２】
また、再生モードにおいては、ズームボタン１９を押下することにより、再生画像を拡大表示または縮小表示させるように、デジタル信号処理回路２１の信号処理動作がシステムコントローラ２２に制御される。また、十字キー１８を押下することにより、表示する再生画像を切替えるように、デジタル信号処理回路２１の信号処理がシステムコントローラ２２により制御される。
【００４３】
次に、撮影モードにおいてモニタ２０に表示される画像について詳細に説明する。図５は、撮影モードにおいて正位置に保った状態でモニタに表示される画像を示す図である。図６は、撮影モードにおいて縦位置に保った状態でモニタに表示される画像を示す図である。
【００４４】
撮影モードにおいて、モニタ２０の上面ＵＦ側にスルー画像ＴＩｍが表示される。また、モニタ２０においてスルー画像を表示した余白である下面ＬＦ側に撮影情報Ｉｎｆが表示される。なお、撮影情報Ｉｎｆとは撮影モード時におけるデジタルカメラ１０の各種設定情報や一般情報などである。
【００４５】
デジタルカメラ１０の設定情報は、例えば、フォーカス、シャッター速度、絞り値、ストロボの発光、画質、ホワイトバランス調整、測光範囲、およびＩＳＯ感度などの設定情報である。また、一般情報は、例えば、現在時刻、バッテリー（図示せず）の残存量、およびスルー画像のヒストグラムなどである。
【００４６】
それぞれの撮影情報Ｉｎｆは、所定の記号、文字、またはグラフにより表示されるものであって、それぞれ上下方向が定められている。デジタルカメラ１０が正位置を含む縦位置以外の姿勢に保たれているときは、上面ＵＦ側を撮影情報の上方向、下面ＬＦ側を撮影情報Ｉｎｆの下方向となるように、それぞれの撮影情報Ｉｎｆが表示される（図５参照）。
【００４７】
一方、デジタルカメラ１０が縦位置の姿勢に保たれているときは、左側側面ＬｅＦ側を撮影情報の上方向、右側側面ＲＦ側を撮影情報の下方向となるように、正位置のときから向きを変えて、それぞれの撮影情報Ｉｎｆが表示される（図６参照）。
【００４８】
なお、デジタルカメラ１０が正位置と縦位置のいずれの姿勢に保たれているかは、縦位置センサ２４により検出される縦位置検出信号が画像信号に付加されているか否かに基づいて判別される。
【００４９】
次に、再生モードにおいてモニタ２０に表示される画像について詳細に説明する。図７は、第１の再生モードにおいてモニタ２０に表示される画像を示す図である。図８は、第２の再生モードにおいてモニタ２０に表示される画像を示す図である。
【００５０】
なお、第１、第２の再生モードは、再生モードにおいて表示する画像に応じて自動的に選択される。いずれかのモードへの選択は、表示する画像に相当する画像信号に縦位置検出信号が付加されているか否かに応じて、システムコントローラ２２により実行される。縦位置検出信号が付加されていないとき、第１の再生モードが選択される。縦位置検出信号が付加されているとき、第２の再生モードが選択される。
【００５１】
第１の再生モードでは、撮影した静止画像ＳＩｍの長辺が第１の辺Ｓｄａと平行となるように、静止画像ＳＩｍがモニタ２０に表示される。また、静止画像の長辺の長さが第１の辺と同じ長さで、かつ、静止画像のアスペクト比を撮影時のアスペクト比に保った画像として表示するように、縮尺の調整が行われる。なお、モニタ２０において静止画像を表示した余白に撮影情報Ｉｎｆも表示される。
【００５２】
第２の再生モードでは、撮影した静止画像ＳＩｍの長辺が第２の辺Ｓｄｂと平行となるように、静止画像ＳＩｍがモニタ２０に表示される。また、静止画像ＳＩｍの長辺の長さが第２の辺Ｓｄｂと同じ長さで、かつ、静止画像ＳＩｍのアスペクト比を撮影時のアスペクト比に保った画像として表示するように、縮尺の調整が行われる。モニタ２０において静止画像ＳＩｍを表示した余白に撮影情報Ｉｎｆも表示される。
【００５３】
次に、撮影モードおよび再生モードにおいて、システムコントローラ２２およびデジタル信号処理回路２１によって行われる処理について図９、図１０のフローチャートを用いて説明する。図９は、撮影モードにおいて行なわれる処理を示すフローチャートである。図１０は、再生モードにおいて行なわれる選択の処理を示すフローチャートである。
【００５４】
前述のように、電源ボタン１５の押下、再生モードにおいて再生ボタン１６の押下、または設定モードにおいてメニューボタン１７の押下によりデジタルカメラ１０の撮影モードを開始する。撮影モードを開始すると、ステップＳ１００において撮像素子１３が生成する画像信号を受信する。受信した画像信号に対して所定の信号処理を施す。
【００５５】
次のステップＳ１０１では、縦位置センサ２４が縦位置検出信号を出力しているか否かを判別する。縦位置検出信号を出力している場合にはステップＳ１０２に進む。ステップＳ１０２では、モニタ２０にスルー画像ＴＩｍと撮影情報Ｉｎｆとを表示する。なお、デジタルカメラ１０が縦位置において撮影情報Ｉｎｆが上下を向くように、撮影情報Ｉｎｆを表示する向きおよび位置を変える。
【００５６】
ステップＳ１０１において縦位置検出信号を出力していない場合にはステップＳ１０３に進む。ステップＳ１０３でも、モニタ２０にスルー画像ＴＩｍと撮影情報Ｉｎｆとを表示する。ただし、デジタルカメラ１０が正位置において撮影情報Ｉｎｆが上下を向くように、撮影情報Ｉｎｆを表示する向きおよび位置を変える。
【００５７】
ステップＳ１０２またはステップＳ１０３の終了後、ステップＳ１０４に進む。ステップＳ１０４において、レリーズスイッチ１４がＯＮであるか否かを確認する。レリーズスイッチ１４がＯＮで無い場合はステップＳ１００に戻る。以後、レリーズスイッチ１４がＯＮとなるまで、ステップＳ１００〜ステップＳ１０４の処理を繰返す。
【００５８】
ステップＳ１０４において、レリーズスイッチ１４がＯＮである場合にステップＳ１０５に進み、所定の信号処理を終えた画像信号を着脱式メモリに格納する。格納後、ステップＳ１０６に進む。
【００５９】
ステップＳ１０６では、縦位置センサ２４が縦位置検出信号を出力しているか否かを判別する。縦位置検出信号を出力している場合はステップＳ１０７に進み縦位置検出信号を画像信号に付加させて着脱式メモリに格納する。ステップＳ１０６において縦位置検出信号を出力していない場合またはステップＳ１０７の終了後に、ステップＳ１０８に進む。
【００６０】
ステップＳ１０８では、撮影が終了か否かを判断する。撮影が終了するまでステップＳ１００〜ステップＳ１０８の処理を繰返す。ステップＳ１０８において、撮影終了である場合は、撮影モードにおける処理を終了する。
【００６１】
前述のように、撮影モードにおいて再生ボタン１６を押下することにより再生モードが始まる。着脱式メモリに記憶される画像の中からモニタ２０に表示する画像の選択入力を受信することにより、再生モードの選択処理が始まる。
【００６２】
ステップＳ２００において、選択された画像に対応する画像信号を着脱式メモリから読出す。画像信号の読出し後、ステップＳ２０１において読出した画像信号に縦位置検出信号が付加されているか否かを判断する。
【００６３】
縦位置検出信号が付加されていない場合はステップＳ２０２に進み、第１の再生モード、すなわちデジタルカメラ１０を正位置においた状態で横長の静止画像ＳＩｍをモニタ２０に表示する。
【００６４】
縦位置検出信号が吹かされている場合はステップＳ２０３に進み、第２の再生モード、すなわちデジタルカメラ１０を正位置においた状態で縦長の静止画像ＳＩｍをモニタ２０に表示する。
【００６５】
第１、第２の再生モードのいずれかを選択して、横長または縦長の静止画像ＳＩｍをモニタ２０に表示することにより、本処理は終了する。
【００６６】
以上のような構成である本実施形態のデジタルカメラ１０によれば、縦位置に保って縦長に撮影した写真を正位置で再生するときに、回転させて表示させる縦長の画像を縮小する事無く全体を表示することが可能になる。モニタ２０が正方形に形成されているので、第１の辺Ｓｄａおよび第２の辺Ｓｄｂのいずれを静止画像ＳＩｍの長辺に合わせても同じ大きさの画像として表示することができるからである。
【００６７】
また、撮影モードにおいてデジタルカメラ１０が縦位置か縦位置以外の姿勢であるかに応じて撮影情報Ｉｎｆの向きが変わるので、特に縦位置撮影するときに撮影情報Ｉｎｆの確認が容易となる。
【００６８】
また、撮影モードおよび再生モードのいずれにおいても、モニタ２０にスルー画像ＴＩｍまたは静止画像ＳＩｍを表示した余白に、撮影情報Ｉｎｆが表示されるので画像ＴＩｍ、ＳＩｍおよび撮影情報Ｉｎｆの視認が容易となる。
【００６９】
なお、本実施形態においてモニタ２０は正方形であるが、少なくとも矩形であればよい。ただし、縦位置で撮影した静止画像ＳＩｍを出来るだけ大きく再生するために、アスペクト比が撮像素子１３の有効撮影領域ＩｍＡのアスペクト比４：３、すなわち４／３より小さいことが求められる。さらには、有効撮影領域ＩｍＡのアスペクト比の逆数より大きいことが好ましい。また、本実施形態のようにモニタ２０のアスペクト比は１に近いことが好ましい。
【００７０】
また、本実施形態では撮像素子１３の有効撮影領域ＩｍＡは、デジタルカメラ１０を正位置に保った状態において横長であって、そのアスペクト比は１より大きい。しかし、有効撮影領域ＩｍＡを縦長とする構成であってもよい。ただし、縦長とする場合に、モニタ２０のアスペクト比は有効撮影領域ＩｍＡのアスペクト比より大きくすることが求められる。更には、有効撮影領域ＩｍＡのアスペクト比の逆数より小さいことが好ましい。
【００７１】
また、本実施形態では、再生モードにおいて静止画像ＳＩｍの長辺がモニタ２０の第１の辺Ｓｄａまたは第２の辺Ｓｄｂのいずれかと同じ長さになるように再生しているが、長さが異なっていてもよい。同じ長さとなるように再生すれば、第１、第２の再生モードのいずれであっても、静止画像ＳＩｍの最大表示が可能である。一方、最大表示でなくとも従来のデジタルカメラの静止画像に比べて画像の視認性は改善される。
【００７２】
また、本実施形態では縦位置センサ２４を備える構成であるが、撮影モードまたは再生モードにおいてデジタルカメラに縦位置であることを認識させるシステムが設けられていればよい。例えば、位置変更ボタンなどの入力装置が設けられていればよい。
【００７３】
例えば、撮影モードにおいて位置変更ボタンを押下することにより撮影情報の上下方向が変わり、再生モードにおいて位置変更ボタンを押下することにより第１、第２の再生モードのいずれかに切替わる構成であってもよい。
【００７４】
また、本実施形態では縦位置か否かを判断するために縦位置センサ２４を用いる構成であるが、傾斜センサを用いてもよい。傾斜センサは撮影レンズ１１の光軸および撮像素子１３の受光面に垂直な直線を軸とした地上に対する回転角を検出するセンサであれば、正位置を基準としたデジタルカメラ１０の傾斜量を検出することは可能である。
【００７５】
傾斜センサを用いるのであれば、完全な縦位置となったときでなく、例えば４５°以上回転させたときに縦位置であるとして撮影情報Ｉｎｆの回転や縦位置検出信号の付加を行なっても本実施形態と同様の効果を得ることは可能である。
【００７６】
また、本実施形態において、撮影情報Ｉｎｆはスルー画像ＴＩｍまたは静止画像ＳＩｍを表示した余白に表示される構成であるが、スルー画像ＴＩｍまたは静止画像ＳＩｍと重なる構成であっても回転画像の大きさを最大化させることは可能である。ただし、前述のように余白に表示することが、視認性を良好にするために望ましい。
【００７７】
また、本実施形態において、静止画像ＳＩｍをズームアップして表示するときにモニタ２０全体に拡大した静止画像ＳＩｍを撮影情報Ｉｎｆと重なるように表示する構成であってもよい。さらには、所定の倍率を超えるときに撮影情報Ｉｎｆの表示を一時停止してもよい。
【００７８】
また、本実施形態において、静止画像ＳＩｍのアスペクト比は撮像素子１３の有効撮影領域ＩｍＡのアスペクト比と同じであるが、デジタル信号処理回路２１による信号処理によってアスペクト比が定められる構成であってもよい。例えば、デジタル信号処理回路２１により有効撮影領域ＩｍＡの辺部周辺の情報を削除して、有効撮影領域ＩｍＡと異なるアスペクト比の画像信号を生成してもよい。
【００７９】
このように、静止画像ＳＩｍのアスペクト比が信号処理により定められる場合は、モニタ２０のアスペクト比は、有効撮像領域ＩｍＡのアスペクト比でなく静止画像ＳＩｍのアスペクト比およびその逆数の範囲内にあれば、前述のように従来のデジタルカメラに比べて縦位置で撮影した画像を大きく再生することが可能である。
【００８０】
また、本実施形態では、第１、第２の再生モードのいずれにおいても静止画像ＳＩｍを長辺方向に最大となるようにはデジタルカメラのモニタに表示させる構成であるが、画像情報を縦位置検出信号とともに記憶可能なメモリを接続することにより、メモリに記憶された画像を画像再生専用装置のモニタに表示させる構成であってもよい。またデジタルカメラと直接接続して撮影した画像をモニタに表示させることが可能であってもよい。
【図面の簡単な説明】
【００８１】
【図１】本発明の一実施形態を適用したデジタルカメラの前面側の外観図である。
【図２】デジタルカメラの背面側の外観図である。
【図３】デジタルカメラの内部構成を概略的に示すブロック図である。
【図４】前面側から見たデジタルカメラの透視図である。
【図５】撮影モードにおいて正位置に保った状態でモニタに表示される画像を示す図である。
【図６】撮影モードにおいて縦位置に保った状態でモニタに表示される画像を示す図である。
【図７】第１の再生モードにおいてモニタに表示される画像を示す図である。
【図８】第２の再生モードにおいてモニタに表示される画像を示す図である。
【図９】撮影モードにおいて行なわれる処理を示すフローチャートである。
【図１０】再生モードにおいて行なわれる選択の処理を示すフローチャートである。
【符号の説明】
【００８２】
１０  デジタルカメラ
１１  撮影レンズ
１３  撮像素子
１４  レリーズボタン
１９  ズームボタン
２０  モニタ
２１  デジタル信号処理回路
２２  システムコントローラ
２４  縦位置センサ
ＩｍＡ  有効撮影領域
Ｉｎｆ  撮影情報
Ｓｄａ、Ｓｄｂ  第１の辺、第２の辺
ＴＩｍ、ＳＩｍ  スルー画像、静止画像
【図２】
2007201539.tif 000003
【図７】
2007201539.tif 000004
【図１】
2007201539.tif 000005
【図３】
2007201539.tif 000006
【図４】
2007201539.tif 000007
【図５】
2007201539.tif 000008
【図６】
2007201539.tif 000009
【図８】
2007201539.tif 000010
【図９】
2007201539.tif 000011
【図１０】
2007201539.tif 000012